(57)【要約】【課題】  調節兼用取付部材によって建具枠の鉛直度、真直度並びに隙間調節を自由に行うことができることに加えて、建具枠の穴を覆うキャップ状の覆いを不要とすると共に建具枠の室内から見える範囲を極力少なくすることができるようにする。【解決手段】  壁１の通路用の開口１Ａにおける対向壁２、２の各々に、戸当り３ａを有する、幅を対向壁２、２の厚さ以下となした建具枠３を一体化した下地枠４を、該対向壁２との間に所定の間隔を存して位置せしめる。該下地枠４を、該対向壁２に建具枠３の鉛直度、真直度、隙間調節を行いながら調節兼用取付部材５を用いて取り付ける。而る後に下地枠４の上面までクロス６を貼着する。【選択図】  図２
2011006948.tif 000002
【特許請求の範囲】
【請求項１】
壁の通路用の開口における対向壁の各々に、戸当りを有する、幅を対向壁の厚さ以下となした建具枠を一体化した下地枠を、該対向壁との間に所定の間隔を存して位置せしめ、該下地枠を、該対向壁に建具枠の鉛直度、真直度、隙間調節を行いながら調節兼用取付部材を用いて取り付け、而る後に下地枠の上面までクロスを貼着するようになしたことを特徴とする建具枠の取付工法。
【請求項２】
下地枠と対向壁の間隙内における適宜の位置に弾性バックアップ部材を配してなる請求項１記載の建具枠の取付工法。
【請求項３】
調節兼用取付部材が、外周面にネジ部が形成された筒状部分を有すると共に、該筒状部分内にロックプレートが配設された固定部と、前記固定部のネジ部に螺合するネジ部が内面に形成された、フランジ及び六角レンチの嵌合穴を有する円筒状の回転部と、前記回転部に外嵌し、そのフランジを介して該回転部を前記下地枠に回転可能に取り付ける取付リングとからなり、前記下地枠に、それにおける対向壁への取り付け面に凹部と、上面から該凹部に連通する六角レンチ及びビスの挿入穴とを穿設し、該凹部内に調節兼用取付部材を取り付けるようにしてなる請求項１又は２記載の建具枠の取付工法。
【請求項４】
調節兼用取付部材が、所定の長さを有し、中心部に調節ビス挿通穴と、その外側の仮止めビス挿通穴とを穿設すると共に、とげ状の突起を形成した平坦な中央部の長さ方向の両側をＶ字形状に折曲した板バネと、下地枠にその対向壁と反対側の面から差し込んで対向壁にネジ込む、該板バネの前記調節ビス挿通穴に挿通する調節ビス又は該板バネの外周近傍に挿通する調節ビスとからなり、建具枠と一体化した下地枠と対向壁との間隙に前記板バネを配し、この状態において下地枠にその対向壁と反対側の面から差し込んだ調節ビスを、板バネの調節ビス挿通穴を通して、或いは通さず、板バネの外周近傍において対向壁にネジ込むようにしてなる請求項１又は２記載の建具枠の取付工法。
【発明の詳細な説明】
【技術分野】
【０００１】
本発明はドア吊り込み用のドアを取り付ける建具枠を取り付けるための工法に関するものである。
【背景技術】
【０００２】
本発明者は、先に特開２００６−２３３６０号（特許文献１）において示された建具枠の取付工法を案出し、提案した。該建具枠の取付工法は、図９及び図１０に示す通りである。
【０００３】
該建具枠の取付工法は、壁１００の通路用の開口部１００Ａにおける対向壁１０１、１０１の各々に下地枠１０２、１０２を取り付け、次いで上記左右の下地枠１０２、１０２の各々に対して、戸当り１０３ａ、１０３ａを有する左右の建具枠１０３、１０３を鉛直度、真直度、隙間調節を行いながら調節兼用取付部材１０４を用いて取り付け、而る後にドア（図示せず。）を取り付ける工法において、上記左右の下地枠１０２、１０２の各々に建具枠の嵌合用の嵌合溝１０２ａ、１０２ａを予め形成しておくと共に、建具枠１０３、１０３の幅を対向壁１０１、１０１の厚さ以下となし、その左右各々の嵌合溝１０２ａ、１０２ａに対して左右各々の建具枠１０３、１０３を嵌合させて、調節兼用取付部材１０４を用いて取り付け、建具枠１０３、１０３を対向壁１０１、１０１の厚み内に納めるようにして取り付ける工法である。尚、図において前記対向壁１０１、１０１、下地枠１０２、１０２、建具枠１０３、１０３は、夫々その内の一方のみを図示し、他方は省略している。
【０００４】
また、上記調節兼用取付部材１０４は、該調節兼用取付部材１０４が高さ方向に所定の間隔で複数取り付けられている上記左右の建具枠１０３、１０３の各々の下地枠１０２、１０２側の側面とは反対側になる側面から下地枠１０２、１０２への取り付け及び下地枠１０２、１０２との間の隙間を調整することができるように構成され、図１０に示したように、外周面にネジ部１０５が形成された筒状部分を有する下地枠１０２、１０２に取り付けられる固定部１０６と、該固定部１０６のネジ部１０５に螺合するネジ部（図示せず。）が内面に形成された、フランジ１０７を有する円筒状の回転部１０８と、上記回転部１０８に外嵌し、フランジ１０７を介して回転部１０８を上記左右の建具枠１０３、１０３の下地枠１０２、１０２側の側面に回転可能に取り付ける取付リング１０９よりなるものであり、しかも、上記固定部１０６の筒状部分には、ロックプレート１１０が配設され、このロックプレート１１０によって、ネジ部１０５及び切欠１０６ａが形成された筒状部分を押し広げることができるようになされている。また、該調節兼用取付部材１０４は、固定部１０６と回転部１０８が螺合した状態で取付リング１０９にて左右の建具枠１０３、１０３に予め取り付けられており、回転部１０８を回転させるための六角レンチの嵌合穴１０８ａから固定ビス１１１を挿入し、この固定ビス１１１によって固定部１０６を下地枠１０２、１０２に固定することで該調節兼用取付部材１０４の固定が行われ、これにより、左右の建具枠１０３、１０３が、下地枠１０２、１０２の嵌合溝１０２ａ、１０２ａに取り付けられることになるものである。
【０００５】
また、上記建具枠１０３、１０３の鉛直度及び真直度を調整するときには、調節兼用取付部材１０４の回転部１０８を、下地枠１０２に取り付け固定された固定部１０６に対して回転させることによって行うものであり、この回転部１０８の回転は、該回転部１０８に設けられた嵌合穴１０８ａに六角レンチ（図示せず。）を嵌合させ、これを回転させることによって行われ、しかも、回転部１０８は、上記固定部１０６のネジ部１０５に螺合しているものであるので、微妙な調整も容易に行うことができ、建具枠１０３、１０３の鉛直度及び真直度の調整を正確に行うことができる。尚、その他図９において１１２はクロス、１１３は幅木、１１４はプラスターボードを示す。
【０００６】
斯かる本発明者が先に案出した建具枠の取付工法には、調節兼用取付部材１０４によって建具枠１０３、１０３の鉛直度、真直度並びに隙間調節を自由に行うことができるという利点や、その他の種々の利点がある。しかし、またその反面において次の如き課題もある。即ち、調節兼用取付部材１０４は、建具枠１０３、１０３に、その高さ方向に沿って複数（通常５個）所定の間隔で取り付けられるが、その取付箇所には六角レンチやビスを挿入するための穴１０３Ａ、１０３Ａが穿設されている。そしてまた、この穴１０３Ａ、１０３Ａは目障りであることから、これには樹脂からなるキャップ状の覆い１０３Ｂを被着している。しかし、該キャップ状の覆い１０３Ｂは、時間の経過につれて変色し、見苦しくなることがある。また、該キャップ状の覆い１０３Ｂ分のコストもかかることになる。
【０００７】
また、建具枠１０３は、必然的にＬ１の長さ分下地枠１０２の表面から突出しており、そしてこれに戸当り１０３ａの長さ分が加わることから、Ｌ２の広い範囲において建具枠１０３と戸当り１０３ａとが室内から見えることになる。そしてこの場合はデザイン的にスッキリ見えないことになる。
【先行技術文献】
【特許文献】
【０００８】
【特許文献１】特開２００６−２３３６０号公報
【発明の概要】
【発明が解決しようとする課題】
【０００９】
本発明は上記の点に鑑みなされたものであって、上記本発明者が先に案出した建具枠の取付工法と同様に、調節兼用取付部材によって建具枠の鉛直度、真直度並びに隙間調節を自由に行うことができることに加えて、上記本発明者が先に案出した建具枠の取付工法において用いていたキャップ状の覆いを不要とすることができると共に、室内から見える範囲を縮小することができるようになした建具枠の取付工法を提供しようとするものである。
【課題を解決するための手段】
【００１０】
而して、本発明の要旨とするところは、壁の通路用の開口における対向壁の各々に、戸当りを有する、幅を対向壁の厚さ以下となした建具枠を一体化した下地枠を、該対向壁との間に所定の間隔を存して位置せしめ、該下地枠を、該対向壁に建具枠の鉛直度、真直度、隙間調節を行いながら調節兼用取付部材を用いて取り付け、而る後に下地枠の上面までクロスを貼着するようになしたことを特徴とする建具枠の取付工法にある。
【００１１】
また、上記構成において、下地枠と対向壁の間隙内における適宜の位置に弾性バックアップ部材を配するようにしてもよい。
【００１２】
また、上記構成における調節兼用取付部材として、外周面にネジ部が形成された筒状部分を有すると共に、該筒状部分内にロックプレートが配設された固定部と、前記固定部のネジ部に螺合するネジ部が内面に形成された、フランジ及び六角レンチの嵌合穴を有する円筒状の回転部と、前記回転部に外嵌し、そのフランジを介して該回転部を前記下地枠に回転可能に取り付ける取付リングとからなる調節兼用取付部材とし、前記下地枠に、それにおける対向壁への取り付け面に凹部と、上面から該凹部に連通する、六角レンチ及びビスの挿入穴とを穿設し、該凹部内に調節兼用取付部材を取り付けるようにしてもよい。
【００１３】
また、上記構成における調節兼用取付部材として、所定の長さを有し、中心部に調整ビス挿通穴と、その外側の仮止めビス挿通穴とを穿設した平坦な中央の長さ方向の両側をＶ字形状に折曲した板バネと、下地枠にその対向壁と反対側の面から差し込んで対向壁にネジ込む、該板バネの前記調節ビス挿通穴に挿通する調節ビス又は該板バネの外周近傍に挿通する調節ビスとからなる調節兼用取付部材とし、建具枠と一体化した下地枠と対向壁との間隙に前記板バネを配し、この状態において下地枠にその対向壁と反対側の面から差し込んだ調節ビスを、板バネの調節ビス挿通穴を通して或いはこれを通さず、板バネの外周近傍において対向壁にネジ込むようにしてもよい。
【発明の効果】
【００１４】
本発明は上記の如き工法であるから、調節兼用取付部材によって建具枠の鉛直度、真直度並びに隙間調節を自由に行うことができるものであり、この点は本発明者が先に案出した建具枠の取付工法と同様である。そして、本発明は、更に本発明者が先に案出した建具枠の取付工法において用いていたキャップ状の覆いを不要とすることができるものである。これにより上記キャップ状の覆いを用いる場合の問題点を解消することができるものである。加えて、本発明は、室内から見える範囲を戸当りの部分のみとして、見える範囲を本発明者が先に案出した工法におけるよりもはるかに少なくし、もってデザイン的にスッキリ見えるようにすることができるものである。
【図面の簡単な説明】
【００１５】
【図１】本発明の第１実施形態に係る建具枠の取付工法を実施した壁部のドアを省略して示した正面図である。
【図２】ドアを一部省略して示した図１中Ａ−Ａ線断面図である。
【図３】図２中における一方の対向壁部分の拡大図である。
【図４】調節兼用取付部材による建具枠の鉛直度、真直度の調節工程の説明図である。
【図５】本発明の第２実施形態に係る建具枠の取付工法を実施した壁部の図２と同一位置にて切断した断面図である。
【図６】図５中における一方の対向壁部分の拡大図である。
【図７】調節兼用取付部材による建具枠の鉛直度、真直度の調節工程の説明図である。
【図８】本実施形態において用いる板バネの斜視図である。
【図９】本発明者が先に案出した建具枠の取付工法の説明図である。
【図１０】同工法において用いる調節兼用取付部材の分解斜視図である。
【発明を実施するための形態】
【００１６】
以下、本発明を実施するための形態について、図面を参照して説明する。
【００１７】
図２乃至図４は本発明の第１実施形態に係る建具枠の取付工法を示すものである。そして、該建具枠の取付工法は、壁１の通路用の開口１Ａにおける対向壁２、２の各々に、戸当り３ａを有する、幅を対向壁２、２の厚さ以下となした建具枠３を一体化した下地枠４を、該対向壁２との間に所定の間隔Ｓを存して位置せしめ、該下地枠４を、該対向壁２に建具枠３の鉛直度、真直度、隙間調節を行いながら調節兼用取付部材５を用いて取り付け、而る後に下地枠４の上面までクロス６を貼着するようになした工法である。また、図において７はプラスターボードである。
【００１８】
また、本実施形態においては、前記下地枠４と対向壁２の間隙Ｓ内における適宜の位置に、発泡プラスチック等からなる弾性バックアップ部材８、８を配している。該弾性バックアップ部材８、８は、取り付けた下地枠４のグラつきを防止して安定性を向上させると共に、間隙Ｓ内に充填するパテの侵入を阻止するために用いるものである。また、上記の如く下地枠４の上面までクロス６を貼着するときには、これに先立って下地枠４と対向壁２の間隙Ｓ内と、下地枠４に穿設した六角レンチ及びビスの挿入穴４ｂ内に、平滑化用のパテ９を充填しておくものである。
【００１９】
また、本実施形態においては、図４に示す如く、建具枠３を一体化した下地枠４に、それにおける対向壁２への取り付け面に凹部４ａと、上面から該凹部４ａに連通する六角レンチ及びビスの挿入穴４ｂとを穿設し、該凹部４ａ内に調節兼用取付部材５を取り付けた状態で現場に搬入するようにしている。
【００２０】
また、該調節兼用取付部材５は、前記本発明者が先に案出した建具枠の取付工法において用いるものと同様であるから、詳細な説明は省略する。尚、該調節兼用取付部材５を簡略に説明すると、外周面にネジ部５Ａ′が形成された筒状部分を有すると共に、該筒状部分内にロックプレート５Ａ″が配設された固定部５Ａと、前記固定部５Ａのネジ部５Ａ′に螺合するネジ部（図示せず。）が内面に形成された、フランジ５Ｂ′及び六角レンチの嵌合穴５Ｂ″を有する円筒状の回転部５Ｂと、前記回転部５Ｂに外嵌し、そのフランジ５Ｂ′を介して該回転部５Ｂを前記下地枠４に回転可能に取り付ける取付リング５Ｃとからなるものである。
【００２１】
そして、上記の状態で現場に搬入した後、先ず回転部５Ｂにおける六角レンチの嵌合穴５Ｂ″から固定ビス５Ｄを入れ、該固定ビス５Ｄを用いて固定部５Ａを対向壁２に固定する。そして、この状態において六角レンチ（図示せず。）を用いて回転部５Ｂを回し、下地枠４の対向壁２に対する間隔を調節することを介して建具枠３の鉛直度、真直度の調節を行うものである。また、場合によっては、これと併せて下地枠４における調節兼用取付部材５と反対側の位置に、調節ビス５′をネジ込むようにしてもよい。そしてまた、その後適宜のタイミングでドア１０を建具枠３に取り付けるものである。
【００２２】
次に、図５乃至図８に示した本発明の第２実施形態に係る建具枠の取付工法について説明する。
本実施形態と前記第１実施形態とは、調節兼用取付部材の点において相違するものである。即ち、本実施形態における調節兼用取付部材１１は、所定の長さを有し、中心部に調節ビス挿通穴１２ａと、その外側の仮止めビス挿通穴１２ｂとを穿設した平坦な中央部１２Ａの長さ方向の両側をＶ字形状に折曲した板バネ１２と、下地枠２にその対向壁２と反対側の面から差し込んで対向壁２にネジ込む、該板バネ１２の前記調節ビス挿通穴１２ａに挿通する調節ビス１３又は該板バネ１２の外周近傍に挿通する調節ビス１３′とからなるものである。尚、１２Ｂ、１２Ｂは板バネ１２の折曲部であり、また板バネ１２の固定部１２Ａには、下地枠の対向壁への取り付け面に刺さってこれのずれを防ぐためのとげ状の突起１２ｃを形成している。尚、本実施形態のその他の構成は前記第１実施形態と同様であるから、同一の部材には同一の符号を付して詳細な説明は省略する。
【００２３】
而して、本実施形態の場合には、建具枠３と一体化した下地枠４と対向壁２との間隙に板バネ１２を配し、この状態において下地枠４にその対向壁２と反対側の面から差し込んだ調節ビス１３を、板バネ１２の調節ビス挿通穴１２ａを通して対向壁２にネジ込み、もって建具枠３と一体化した下地枠４を対向壁２に取り付けるものである。また、下地枠４にその対向壁２と反対側の面から差し込んだ調節ビス１３′を板バネ１２の調節ビス挿通穴１２ａを通さず、板バネ１２の外周近傍において対向壁２にネジ込むようにしてもよい。尚、このようにする場合には、板バネ１２を、そのとげ状の時１２ｃ、１２ｃを下地枠４の対向壁２への取り付け面に刺さり込ませると共に仮止めビス挿通穴１２ｂに挿通した仮止めネジ（図示せず。）を下地枠４にネじ込み、もって下地枠４に仮止めしておくものである。尚、これらの場合において、板バネ１２は下地枠４を対向壁２から離れる方向に附勢している。そして、調節ビス１３のネジ回しによる進退をもって下地枠４の対向壁２に対する間隔を調節し、この調節を介して建具枠３の鉛直度、真直度の調節を行うものである。
【符号の説明】
【００２４】
１  壁
１Ａ  開口
２、２  対向壁
３  建具枠
３ａ  戸当り
４  下地枠
４ａ  凹部
５  調節兼用取付部材
６  クロス
８、８  弾性バックアップ部材
９  パテ
１０  ドア
１１  調節兼用取付部材
１２  板バネ
１２ａ  調節ビス挿通穴
１３、１３′  調節ビス
【図１】
2011006948.tif 000003
【図２】
2011006948.tif 000004
【図３】
2011006948.tif 000005
【図４】
2011006948.tif 000006
【図５】
2011006948.tif 000007
【図６】
2011006948.tif 000008
【図７】
2011006948.tif 000009
【図８】
2011006948.tif 000010
【図９】
2011006948.tif 000011
【図１０】
2011006948.tif 000012
【手続補正書】
【提出日】平成21年7月3日(2009.7.3)
【手続補正１】
【補正対象書類名】明細書
【補正対象項目名】０００８
【補正方法】変更
【補正の内容】
【０００８】
【特許文献１】特開２００６−２３３６０４号公報